(57)【要約】【課題】浮力と推力とを容易に得ることができる水泳補助具を提供する。【解決手段】浮体を有し水泳者Ｍの上半身を支える補助具本体２を備える。補助具本体２の後端部に着脱自在かつ上下方向に揺動自在に連結された推進部材３を備える。補助具本体２は、水泳者Ｍの上半身を着脱自在に保持する保持部材４が設けられている。推進部材３は、左右方向および前後方向に延びるひれ状に形成されている。推進部材３は、水泳者Ｍの両脚を離脱容易に係止する係止部材が設けられている。【選択図】  図３
2006149447.tif 000002
【特許請求の範囲】
【請求項１】
浮体を有し水泳者の上半身前面を支える補助具本体と、この補助具本体の後端部に着脱自在かつ上下方向に揺動自在に連結された推進部材とによって構成され、前記補助具本体は、水泳者の上半身を着脱自在に保持する保持部材が設けられ、前記推進部材は、左右方向および前後方向に延びるひれ状に形成されるとともに水泳者の両脚を離脱容易に係止する係止部材が設けられていることを特徴とする水泳補助具。
【請求項２】
請求項１記載の水泳補助具において、補助具本体に設けられたモータおよびバッテリからなる駆動装置と、前記モータの回転運動を上下方向の往復運動に変えて推進部材に伝達する伝動装置と、水泳者によって上下揺動される推進部材の補助具本体に対する揺動方向および人力の大きさを検出するセンサと、このセンサによって検出された推進部材の揺動する方向に人力の大きさに略比例したモータの動力で推進部材が付勢されるようにモータの動作を制御する制御装置とを備えた水泳補助具。
【請求項３】
請求項１または請求項２記載の水泳補助具において、補助具本体と推進部材を揺動自在に連結する連結部は、補助具本体の後端部であって左右方向の両端部に突設された係合突部と、この係合突部に着脱自在に係合する推進部材側の係合孔とによって構成され、水泳者の股関節と対応する部位に位置付けられている水泳補助具。
【請求項４】
請求項１ないし請求項３のうちいずれか一つの水泳補助具において、保持部材は水泳者の腰部よりやや上方の背面に密着する状態で左右方向に延びるベルトによって形成されている水泳補助具。
【請求項５】
請求項１ないし請求項４のうちいずれか一つの水泳補助具において、補助具本体の左右方向の両側部であって水泳者の腰部の側方となる部位に水泳者が把持するハンドルを設けた水泳補助具。
【請求項６】
請求項１ないし請求項５のうちいずれか一つの水平補助具において、係止部材は、推進部材一体に形成され水泳者の両脚で挟持される断面Ｔ字状の挾持体である水泳補助具。
【発明の詳細な説明】
【技術分野】
【０００１】
本発明は、水泳者の下半身と連動するひれ部を有する水泳補助具に関するものである。
【背景技術】
【０００２】
従来、人力によってひれ部分を上下方向に揺動させて推力を発生させる水泳補助具としては、例えば特許文献１に開示されたものがある。この特許文献１に示された水泳補助具は、イルカの体躯を模した形状に形成され、イルカの胴体に相当する補助具本体と、この補助具本体の後端部に上下方向に揺動可能に取付けられたひれ部とから構成されている。
【０００３】
前記ひれ部は、乗員が足によって押し下げたり、またはひれ部に接続されたワイヤを補助具本体上に腰掛けた乗員が引くことによって揺動させることにより推力を発生させている。
なお、本出願人は、本明細書に記載した先行技術文献情報で特定される先行技術文献以外には、本発明に密接に関連する先行技術文献を出願時までに見付け出すことはできなかった。
【特許文献１】特開平１０−７１９９２号公報
【発明の開示】
【発明が解決しようとする課題】
【０００４】
しかしながら、特許文献１に記載された水泳補助具は、水面上に浮いた補助具本体に跨って乗員が足または腕で漕ぐことによって進むものであり、乗り物の域を出ず、水中を泳ぐ水泳者の浮力と推力とを補うものではなかった。水泳時の浮力は、波乗り用ボードや浮き輪などの浮体によって得ることができ、推力は、いわゆる足ひれを足に装着することによって補うことができる。しかし、泳ぐに当たってこのように多くの補助具を使用することは煩わしいため、浮力と推力とを容易に得ることができる水泳補助具が要請されていた。
【０００５】
本発明はこのような要請に応えるためになされたもので、水中を泳ぐ水泳者に浮力と推力とを容易に得ることができる水泳補助具を提供することを目的とする。
【課題を解決するための手段】
【０００６】
この目的を達成するために、本発明に係る水泳補助具は、浮体を有し水泳者の上半身前面を支える補助具本体と、この補助具本体の後端部に着脱自在かつ上下方向に揺動自在に連結された推進部材とによって構成され、前記補助具本体は、水泳者の上半身を着脱自在に保持する保持部材が設けられ、前記推進部材は、左右方向および前後方向に延びるひれ状に形成されるとともに水泳者の両脚を離脱容易に係止する係止部材が設けられているものである。
【０００７】
請求項２に記載した発明に係る水泳補助具は、請求項１に記載した発明に係る水泳補助具において、補助具本体に設けられたモータおよびバッテリからなる駆動装置と、前記モータの回転運動を上下方向の往復運動に変えて推進部材に伝達する伝動装置と、水泳者によって上下揺動される推進部材の補助具本体に対する揺動方向および人力の大きさを検出するセンサと、このセンサによって検出された推進部材の揺動する方向に人力の大きさに略比例したモータの動力で推進部材が付勢されるようにモータの動作を制御する制御装置とを備えたものである。
【０００８】
請求項３に記載した発明に係る水泳補助具は、請求項１または請求項２に記載した発明に係る水泳補助具において、補助具本体と推進部材を揺動自在に連結する連結部は、補助具本体の後端部であって左右方向の両端部に突設された係合突部と、この係合突部に着脱自在に係合する推進部材側の係合孔とによって構成され、水泳者の股関節と対応する部位に位置付けられているものである。
【０００９】
請求項４に記載した発明に係る水泳補助具は、請求項１ないし請求項３のうちいずれか一つに記載した発明に係る水泳補助具において、保持部材は水泳者の腰部よりやや上方の背面に密着する状態で左右方向に延びるベルトによって形成されているものである。
【００１０】
請求項５に記載した発明に係る水泳補助具は、請求項１ないし請求項４のうちいずれか一つに記載した発明に係る水泳補助具において、補助具本体の左右方向の両側部であって水泳者の腰部の側方となる部位に水泳者が把持するハンドルを設けたものである。
請求項６に記載した発明に係る水泳補助具は、請求項１ないし請求項５のうちいずれか一つに記載した発明に係る水平補助具において、係止部材を、推進部材一体に形成され水泳者の両脚で挟持される断面Ｔ字状の挾持体としたものである。
【発明の効果】
【００１１】
本発明によれば、水泳者が補助具本体に上半身を乗せ、両脚を係止部材に離脱容易に係止させ、保持部材によって上半身の補助具本体に対する移動が規制される状態でいわゆるドルフィンキック（腰を中心とする身体の曲げ・伸ばし運動）をすることによって、推進部材が水を押し、推力が発生する。この推力は、単に足で水を蹴る場合に較べて大きい。
【００１２】
したがって、本発明によれば、補助具本体によって浮力が得られ、推進部材によって推力が得られるから、浮力と推力との両方を得ながら水泳が可能な水泳補助具を提供することができる。また、この発明に係る水泳補助具は、保持部材を補助具本体から取外すことによって水泳者の上半身を補助具本体から容易に離すことができ、水泳者の両脚を係止部材から容易に離脱できるから使い勝手がよい。
【００１３】
請求項２記載の発明によれば、推進部材が人力の方向と大きさとに応じたモータの動力によっていわゆる電動アシストによって駆動されるから、水泳者の意志通りの泳ぎができ、泳ぐときの水泳者の疲労を最小限に抑えることができる。
請求項３記載の発明によれば、係合突部と係合孔との係合部を中心にして補助具本体に対して推進部材を揺動させることができる。したがって、推進部材を補助具本体に着脱自在に取付ける機能と、推進部材を補助具本体に揺動自在に支持する機能との二つの機能を前記係合部にもたせることができるから、前記各機能毎に機能部品を用いる場合に較べて部品数を低減することができ、軽量化とコストダウンとを図ることができる。
【００１４】
請求項４記載の発明によれば、水泳者の下半身の動作を規制することがない状態で水泳者の上半身を保持部材によって補助具本体に保持することができる。保持部材は、水泳者の上半身に密着することによって、上半身の補助具本体に対する移動を規制する。
このため、本発明によれば、水泳者の上半身が補助具本体の上で安定し、水泳者がドルフィンキックを行うときの力を無駄なく推進部材に伝達することができる。
【００１５】
請求項５記載の発明によれば、水泳者が上半身を補助具本体の上に乗せ、ハンドルを把持することによって、上半身が安定するようになる。このため、この発明によれば、より一層容易に泳ぐことができる水泳補助具を提供することができる。
【００１６】
請求項６記載の発明によれば、水泳者が両脚を開くことによって脚が推進部材から離れることになる。このため、この発明に係る水泳補助具は、足ひれを使う場合に較べて身体から速やかに外すことができ、より一層使い勝手を向上させることができる。
【発明を実施するための最良の形態】
【００１７】
以下、本発明に係る水泳補助具の一実施の形態を図１ないし図７によって詳細に説明する。
図１は本発明に係る水泳補助具を示す図で、同図（ａ）は平面図、同図（ｂ）は側面図、同図（ｃ）は底面図、同図（ｄ）は正面図、同図（ｅ）は背面図である。図２は水泳補助具の側面図で、同図（ａ）は補助具本体と保持部材の側面図、同図（ｂ）は推進部材の側面図である。図３は本発明に係る水泳補助具の斜視図である。図４は駆動系の構成を示す図で、同図（ａ）は側面図、同図（ｂ）は平面図である。
【００１８】
図５は補助具本体と推進部材との連結部分の構成を示す側面図で、同図は組付以前の状態を示す。図６は補助具本体と推進部材との連結部分の構成を示す側面図で、同図（ａ）は係合部分が係合している状態を示し、同図（ｂ）は駆動系を装着した状態を示す。図７は本発明に係る水泳補助具を使用している状態を示す側面図で、同図（ａ）は推進部材を引き上げた状態を示し、同図（ｂ）は推進部材を押し下げた状態を示す。
【００１９】
これらの図において、符号１で示すものは、この実施の形態による水泳補助具を示す。この水泳補助具１は、補助具本体２と推進部材３との二つの部材によって構成されている。
前記補助具本体２は、図７に示すように、腹這い状態にある水泳者Ｍの上半身を支えるためのもので、浮体（図示せず）を備えている。この浮体は、水泳者Ｍを水面Ｌ（図７参照）上に浮上させることができる浮力を有するものが用いられている。この実施の形態による補助具本体２は、柔軟性を有するプラスチックによって形成されており、内部に発泡プラスチックからなる浮体が一体的に設けられている。前記推進部材３は、前記補助具本体２の後端部に上下方向に揺動自在に連結されている。
【００２０】
前記補助具本体２は、図１（ａ）に示すように、平面視において、水泳者Ｍの胸から下の上半身を乗せることができる面積を有する三角形状に形成されている。なお、図１（ａ）においては、補助具本体２の上面の形状を理解し易いように、後述する保持部材は図示を省略している。
【００２１】
補助具本体２の上面２ａは、図１（ｄ）に示すように、水泳者Ｍの上半身の載置の安定を図るために、左右方向の中央部がわずかに凹むように形成されている。補助具本体２の下面２ｂは、船の底と同等の形状に形成されている。すなわち、下面２ｂは、側面視において、図１（ｂ）に示すように、前端から後側に向かうにしたがって次第に下方に突出するように傾斜し、後端部においては後側に向かうにしたがって次第に上側に位置するように形成されており、側面視において下向きの山形状に形成されている。また、この下面２ｂは、図１（ｄ）に示すように、正面視において、左右方向の中央部が最も低くなる下向きの山形状に形成されている。
【００２２】
補助具本体２の上部の両側部であって後端部には、図２（ａ）、図３および図７に示すように、水泳者Ｍを補助具本体２の上に保持するための保持部材４が設けられている。この保持部材４は、水泳者Ｍの腰部よりやや上方の背面に密着する状態で左右方向に延びるベルトによって構成されている。この保持部材４の一端部は、後述する取付構造によって補助具本体２に着脱自在に取付けられている。
【００２３】
この保持部材４は、柔軟性を有するプラスチックや合成ゴムなどによって形成されており、この保持部材４が水泳者Ｍの背面に密着することによって水泳者の保持具本体２に対する移動を規制するとともに、保持部材４が弾性変形することにより水泳者Ｍが補助具本体２に対して僅かに動くことができるように構成されている。また、この保持部材４は、図示はしていないが、水泳者Ｍの体型に合わせて長さを調節できるように構成されている。
【００２４】
この保持部材４の一端部を補助具本体２に着脱自在に取付ける取付構造は、補助具本体２の両側部上に突設された装着部５に保持部材４の端部を挿入することにより、保持部材４の係合孔（図示せず）に補助具本体２側のフック（図示せず）が係合する構造が採られている。前記フックは、保持部材４が装着部５に挿入されることにより自動的に係合孔に係合する。また、このフックは、補助具本体２に設けられたリリースボタン６｛図１（ｂ）、図２（ａ）および図３参照｝を水泳者Ｍが指で押すことにより係合孔との係合状態が強制的に解除され、係合孔から外れるように構成されている。すなわち、保持部材４は、リリースボタン６が水泳者の指で押されることにより、一端部が補助具本体２から取外されるとともに、補助具本体２に接続されている他端部を中心にして開くようになり、水泳者の上半身を解放する。
【００２５】
補助具本体２の上部であって、前記保持部材４が接続される部分の後側には、水泳者Ｍが手で把持するためのハンドル７が一対設けられている。このハンドル７は、図７に示すように、水泳者Ｍの腰部の両側方となる部位に位置付けられ、補助具本体２に一体に形成されている。
【００２６】
前記ハンドル７の近傍であって補助具本体２の内部には、図５および図６（ａ）に示すように、後述する推進部材３の前端部を揺動自在に支持するための係合突部８が設けられている。この係合突部８は、前記補助具本体２に固着した基部８ａと、この基部８ａから後上がりに延びる腕部８ｂと、この腕部８ｂの上端部に設けられた係合部８ｃとによって構成され、補助具本体２に較べて相対的に柔軟性が高いプラスチックによって形成されている。この係合突部８は、補助具本体２の左右方向の両側部に棒状を呈するように突設されている。
【００２７】
この係合突部８に支持される推進部材３の前端部には、図５に示すように、前記係合突部８の形状に合わせた形状に開口する係合孔９が形成されている。この係合孔９の先端の開放部分は、係合突部８を内部に容易に係入することができるように、開口幅が前方に向かうにしたがって次第に広くなるように形成されている。
【００２８】
前記推進部材３は、従来からよく知られている足ひれと同等の材料、すなわち柔軟性を有するプラスチックや合成ゴムなどによって形成されている。このため、前記係合孔９の開口幅は容易に拡げることができる。前記係合孔９の開口幅は、その前端部の開放部分に前記係合突部８の先端を押し付けた状態で推進部材３を前下方に押し下げることにより、推進部材３の前端部が弾性変形し拡がる。この状態でさらに推進部材３を押すことによって、図６（ａ）に示すように、係合孔９内に係合突部８が係入する。
【００２９】
前記係合突部８と、前記係合孔９を形成する部材（推進部材３の前端部）は、何れも弾性を有しているから、上述した係合状態（連結状態）で推進部材３の後側を押し下げたり引き上げたりすることにより、係合突部８の腕部８ｂが弾性変形により基部８ａを中心にして前後方向に揺動することによって、推進部材３が上下方向に揺動する。
また、前記係合状態で推進部材３を補助具本体２に対して後上方に引くことによって、係合孔９内から係合突部８が引き出され、補助具本体２から推進部材３を取外すことができる。
【００３０】
推進部材３は、図１、図２（ｂ）、図３および図７に示すように、左右方向および前後方向に延びるひれ状に形成されている。この実施の形態による推進部材３の左右方向の幅は、水泳者Ｍが両脚を揃えた状態で乗せることができる寸法に形成され、前後方向の長さは、水泳者Ｍの両脚より後方に延出するように形成されている。この実施の形態においては、推進部材３の前部は、相対的に柔軟性が低い材料によって形成され、後部は、相対的に柔軟性が高い材料によって形成されている。この推進部材３の前部には、図１（ａ），（ｃ）および図３に示すように、この推進部材３を補助具本体２に対して揺動させるときに水による抵抗が過度に大きくなることを防ぐために、抵抗低減用の開口３ａが形成されている。
【００３１】
推進部材３の前部の上面には、水泳者Ｍの両脚で挟持される前側挾持体１１と後側挾持体１２とが一体に形成されている。これらの挾持体１１，１２によって、本発明でいう係止部材が構成されている。これらの挾持体１１，１２は、推進部材３の左右方向の中央部から後上方に斜めに延びる支持板１１ａ，１２ａと、この支持板１１ａ，１２ａの上端部から左右方向に延びる受圧板１１ｂ，１２ｂとによって断面Ｔ字状に形成されている。
【００３２】
前側挾持体１１の受圧板１１ｂは、図７に示すように、水泳者Ｍの太ももと対応する部位に位置付けられ、後側挾持体１２の受圧板１２ｂは、水泳者Ｍのふくらはぎと足首との間と対応する部位に位置付けられている。これらの受圧板１１ｂ，１２ｂは、推進部材３の上面から上方へ水泳者Ｍの脚部の上下方向の幅より僅かに広い間隔をおいて離間するように設けられている。このため、この推進部材３においては、受圧板１１ｂ，１２ｂと推進部材３の上面との間に水泳者Ｍの脚部を遊嵌状態で挿入することができる。
【００３３】
なお、水泳者Ｍの両脚を離脱容易に係止するための係止部材としては、上述したように断面Ｔ字状に形成する他に、図１（ａ），（ｂ）および図３中に二点鎖線Ａ，Ｂで示すように形成することができる。二点鎖線Ａで示す係止部材は、推進部材３の上部で左右方向に延びるベルト状に形成され、水泳者Ｍの足首部分を挿入し係止することができるように構成されている。二点鎖線Ｂで示す係止部材は、推進部材３の上面から上方に突出しかつ前方に向けて開口するポケット状に形成され、水泳者Ｍの踵を含む足先部分を挿入することができるように構成されている。これらの係止部材Ａ，Ｂを設ける位置は、図示した位置に限定されることはなく、水泳者Ｍの体格に適合するように適宜変更することができる。
【００３４】
この実施の形態による水泳補助具１は、このように受圧板１１ｂ，１２ｂと推進部材３との間に水泳者Ｍの脚部を挿入した状態で、水泳者Ｍが下半身を上半身に対して上下に屈曲することによって、推進部材３が両脚と一体となって補助具本体２に対して上下方向に揺動する。推進部材３は、このように上下方向に揺動することにより推力を発生させる。
【００３５】
すなわち、この水泳補助具１は、水泳者Ｍが乗った状態で両脚で推進部材３を下方に押し、さらに両脚で前側挾持体１１と後側挾持体１２とを引き上げるという動作を繰り返し行うことによって前進する。この推進部材３の揺動によって発生する推力は、単に足で水を蹴る場合に較べて大きくなるから、水泳者Ｍは、上述した両脚の動作（ドルフィンキック動作）を行うことによって、身体のみで泳ぐ場合に較べて楽に泳ぐことができる。
【００３６】
この実施の形態による水泳補助具１は、上述した水泳者Ｍによるドルフィンキック動作を助勢するために電動アシスト装置１３（図４参照）が設けられている。この電動アシスト装置１３は、図４に示すように、補助具本体２内に設けられたモータ１４とバッテリ１５とからなる駆動装置１６と、前記モータ１４の回転運動を上下方向の往復運動に変えて推進部材３に伝達する伝動装置１７と、推進部材３の補助具本体２に対する揺動方向を検出するためのセンサ１８，１９｛図５および図６（ａ）参照｝と、前記モータ１４の動作を制御する制御装置２０｛（図４参照（ｂ）｝とから構成されている。
【００３７】
前記モータ１４とバッテリ１５は、補助具本体２内に完全な水密が維持できるように収納されている。なお、バッテリ１５は、充電するために、補助具本体２の蓋部材２ｃ（図３参照）を開いて補助具本体２内に対して着脱できるように構成されている。
前記モータ１４は、軸線方向が左右方向を指向するように補助具本体２内の後端部であって左右方向の中央部に固定され、バッテリ１５は、モータ１４の前方に配設されている。
【００３８】
前記伝動装置１７は、図６（ｂ）に示すように、補助具本体２に左右方向を軸線方向とする支軸２１によって補助具本体２に揺動自在に支持されたロッド２２を備えている。このロッド２２は、長手方向の中央部が前記支軸２１によって支持されている。このロッド２２の前端部には長孔２３が穿設され、この長孔２３に係入する偏心ピン２４を介してモータ１４が接続されている。このモータ１４は、図４（ｂ）に示すように、回転軸１４ａと、この回転軸１４ａの先端部に取付けられた回転部材１４ｂとを備えている。前記偏心ピン２４は、前記回転部材１４ｂの外周部であって外側に突設されている。
【００３９】
前記ロッド２２の後端部には、推進部材３に前後方向に延びるように形成された長孔２５に係入する連動用ピン２６が左右方向に突設されている。すなわち、この電動アシスト装置１３においては、モータ１４とともに回転部材１４ｂが一方向に回転し、偏心ピン２４が長孔２３内を移動することにより、ロッド２２の前部が支軸２１を中心にして上下方向に揺動し、このロッド２２の揺動に連動して推進部材３が上下方向に揺動する。
【００４０】
前記推進部材３の長孔２５は、図５および図６（ａ）に示すように、上側の孔壁面と下側の孔壁面とに前記圧力センサ１８，１９が設けられている。これらの圧力センサ１８，１９は、前記ロッド２２の連動用ピン２６が押し付けられることによって検出信号を制御装置２０に送出する構成が採られている。
【００４１】
制御装置２０は、これらの圧力センサ１８，１９の検出信号に基づいて前記モータ１４を推進部材３が助勢されるように駆動する。例えば、制御装置２０は、上側の孔壁面に設けられた圧力センサ１８から検出信号を入力した場合（推進部材３が補助具本体２に対して下方へ押し下げられた場合）、モータ１４を偏心ピン２４が上側へ移動するようにモータ１４を駆動する。この結果、偏心ピン２４の上側への移動によりロッド２２が図６（ｂ）において時計方向に回り、このロッド２２の後端部に連動用ピン２６と長孔２５とを介して連結された推進部材３がモータ１４の動力によって下方へ付勢される。
【００４２】
制御装置２０は、他方の圧力センサ１９から検出信号を入力した場合は、推進部材３が上方へ付勢されるようにモータ１４を回転させる。したがって、水泳者Ｍがドルフィンキック動作を行うことにより推進部材３を押し下げたり引き上げるときには、モータ１４の動力によって推進部材３が同方向に助勢（アシスト）される。
【００４３】
このように構成された水泳補助具１においては、補助具本体２によって浮力が得られ、推進部材３によって推力が得られるから、水泳者Ｍは、これを使用することによって、浮力と推力との両方を得ながら泳ぐことができる。また、この水泳補助具１は、補助具本体２のリリースボタン６を押すことによって保持部材４の一端部を補助具本体２から瞬間的に取外すことができ、水泳者Ｍは上半身を補助具本体２から容易に離すことができる。しかも、断面Ｔ字状に形成された挾持体１１，１２は、水泳者Ｍが両脚を開くことによって脚が推進部材３から離れることになる。
【００４４】
このため、この実施の形態による水泳補助具１は、足ひれを使う場合に較べて簡単に使用することができ、しかも、不必要になった場合には速く身体から外すことができる。
また、この水泳補助具１は、補助具本体２に推進部材３を容易に着脱することができるから、補助具本体２と推進部材３とに分割してコンパクトな状態で持ち運ぶことができる。このように推進部材３は、補助具本体２に対して着脱できることから、水泳者の身長に合わせて大きさの異なるものを複数種類形成しておき、水泳者Ｍが自分に適合するものを選択して使用することができる。
【００４５】
この実施の形態による水泳補助具１は、推進部材３が人力の方向と大きさとに応じて電動アシスト装置１３によって駆動されるから、水泳者Ｍの意志通りの泳ぎができ、泳ぐときの水泳者Ｍの疲労を最小限に抑えることができる。
この実施の形態による水泳補助具１は、係合突部８と係合孔９との係合部を中心にして推進部材３を補助具本体２に対して揺動させることができる。
【００４６】
このため、推進部材３を補助具本体２に着脱自在に取付ける機能と、推進部材３を補助具本体２に揺動自在に支持する機能との二つの機能を前記係合部にもたせることができる。したがって、専ら着脱を行うために用いる機能部品と、専ら揺動自在に支持するための機能部品とを用いる場合に較べて、部品数を低減することができる。
【００４７】
この実施の形態による水泳補助具１は、水泳者Ｍの下半身の動作を規制することがない状態で水泳者Ｍの上半身を保持部材４によって補助具本体２に保持することができる。前記保持部材４は、水泳者Ｍの上半身に密着することによって、上半身の補助具本体２に対する移動を規制する。
したがって、この実施の形態による水泳補助具１は、水泳者Ｍの上半身が補助具本体２の上で安定し、水泳者Ｍがドルフィンキックを行うときの力を無駄なく推進部材３に伝達することができる。
【００４８】
この実施の形態による水泳補助具１は、水泳者Ｍが上半身を補助具本体２の上に乗せ、ハンドル７を把持することによって、上半身が安定するようになるから、より一層容易に泳ぐことができる。
上述した実施の形態による水泳補助具１は、電動アシスト装置１３を装備し、ＯＮ−ＯＦＦスイッチでアシストの有無を選択しているが、本発明に係る水泳補助具１は、このような電動アシスト装置１３を装備しない、人力のみのものでも実現することができる。
【図面の簡単な説明】
【００４９】
【図１】本発明に係る水泳補助具を示す図である。
【図２】水泳補助具の側面図である。
【図３】本発明に係る水泳補助具の斜視図である。
【図４】駆動系の構成を示す図である。
【図５】補助具本体と推進部材との連結部分の構成を示す側面図である。
【図６】補助具本体と推進部材との連結部分の構成を示す側面図である。
【図７】本発明に係る水泳補助具を使用している状態を示す側面図である。
【符号の説明】
【００５０】
１…水泳補助具、２…補助具本体、３…推進部材、４…保持部材、７…ハンドル、８…係合突部、９…係合孔、１１…前側挾持体、１２…後側挾持体、１３…電動アシスト装置、１４…モータ、１５…バッテリ、２２…ロッド、２４…偏心ピン、２６…連動用ピン。
【図１】
2006149447.tif 000003
【図２】
2006149447.tif 000004
【図３】
2006149447.tif 000005
【図４】
2006149447.tif 000006
【図５】
2006149447.tif 000007
【図６】
2006149447.tif 000008
【図７】
2006149447.tif 000009